(57)【要約】【課題】繋止解除／開き、および、閉じ／繋止の操作を片手のみで実施する。【解決手段】牽伸機構と、各下側ロールが取付けられた牽伸機構下側部分と、各上側ロールが取付けられた牽伸機構下側部分とを有する、特に練篠フレーム、カード機、コーミング機などの紡績前処理機であって、上記上側部分は(非加重の)開き位置から(加重された)閉じ位置まで且つその逆に移動可能であると共に、上記各上側ロールの押圧デバイスに対して繋止解除／繋止デバイスが配備されるという紡績前処理機上のデバイスにおいて、上記繋止解除／繋止デバイスは、当該片手式操作デバイスによれば、上記牽伸機構の押圧デバイスの繋止解除／開き、および、閉じ／繋止のいずれもが一回の動作段階において行われる。【選択図】図４
2013044083.tif 000002
【特許請求の範囲】
【請求項１】
牽伸機構と、各下側ロールが取付けられた牽伸機構下側部分と、各上側ロールが取付けられた牽伸機構下側部分とを有する、特に練篠フレーム、カード機、コーミング機などの紡績前処理機であって、上記上側部分は(非加重の)開き位置から(加重された)閉じ位置まで且つその逆に移動可能であると共に、上記各上側ロールの押圧デバイスに対して繋止解除／繋止デバイスが配備されるという紡績前処理機上のデバイスにおいて、
上記繋止解除／繋止デバイス(15；15'、15"；20、21、22)は、当該片手式操作デバイスによれば、上記牽伸機構(S)の押圧デバイス(11a〜11d；91〜94)の繋止解除および開きが一回の動作段階において行われ、且つ、上記牽伸機構(S)の上記押圧デバイス(11a〜11d；91〜94)の閉じおよび繋止が一回の動作段階において行われるという片手式操作デバイスを提供することを特徴とする、デバイス。
【請求項２】
前記片手式操作デバイスに依れば、繋止解除および開きが一回の動作段階において連続して行われること、および、閉じおよび繋止が一回の動作段階において連続して行われることが許容されることを特徴とする、請求項１記載のデバイス。
【請求項３】
前記牽伸機構は、片手を使用し、繋止解除されると同時に開かれ、且つ、閉じられると同時に繋止されることを特徴とする、請求項１または２に記載のデバイス。
【請求項４】
前記片手式操作デバイスは、枢動軸心の回りで回動可能な握り柄を有することを特徴とする、請求項１乃至３のいずれか一項に記載のデバイス。
【請求項５】
前記繋止解除／繋止デバイス(15)は前記開き／閉じデバイス(29)と組合わせ的に協働することを特徴とする、請求項１乃至４のいずれか一項に記載のデバイス。
【請求項６】
前記握り柄は、閉じ位置においては閉じ手段により固定可能であり、且つ、制御アームを操作することを特徴とする、請求項１または２に記載のデバイス。
【請求項７】
前記制御アームの回動の経路内へと繋止レバーの駆動器アームが突出することを特徴とする、請求項１乃至６のいずれか一項に記載のデバイス。
【請求項８】
前記繋止レバーは、その開始位置に在るとき、回動ラッチの閉じ位置を支持することを特徴とする、請求項１乃至７のいずれか一項に記載のデバイス。
【請求項９】
前記繋止解除／繋止デバイスは、開き用捕捉体と、閉じ用捕捉体と、固定位置に在るボルトとを備えて成ることを特徴とする、請求項１乃至８のいずれか一項に記載のデバイス。
【請求項１０】
前記繋止解除／繋止デバイスは、前記開き用捕捉体に対して力を及ぼし得る例えば取手などの握り柄を有することを特徴とする、請求項１乃至９のいずれか一項に記載のデバイス。
【請求項１１】
前記開き用捕捉体は枢動軸受の回りで枢動可能であることを特徴とする、請求項１乃至１０のいずれか一項に記載のデバイス。
【請求項１２】
前記閉じ用捕捉体は枢動軸受の回りで枢動可能であることを特徴とする、請求項１乃至１１のいずれか一項に記載のデバイス。
【請求項１３】
前記開き用捕捉体と閉じ用捕捉体との間には張設スプリングが作用することを特徴とする、請求項１乃至１１のいずれか一項に記載のデバイス。
【請求項１４】
前記張設スプリングの一端は前記開き用捕捉体に係合し、且つ、他端は前記閉じ用捕捉体に係合することを特徴とする、請求項１乃至１２のいずれか一項に記載のデバイス。
【請求項１５】
前記開き用捕捉体は、前記閉じ用捕捉体における凹所に対して係合および離脱すべく移動される様に配置された突出部(突起部)に作用することを特徴とする、請求項１乃至１３のいずれか一項に記載のデバイス。
【請求項１６】
開くために、前記枢動的に取付けられた握り柄(アクチュエータ)は、枢動的に取付けられた開き用捕捉体を、閉じ用捕捉体との噛合係合および／または摩擦係合から離脱させる様にも移動させることを特徴とする、請求項１乃至４のいずれか一項に記載のデバイス。
【請求項１７】
開くために、前記開き用捕捉体と前記閉じ用捕捉体との間のスプリング力は、前記牽伸機構の押圧の間において上記閉じ用捕捉体の同時的な枢動開きを行うことを特徴とする、請求項１乃至１６のいずれか一項に記載のデバイス。
【請求項１８】
前記牽伸機構を閉じるために、前記握り柄(アクチュエータ)は端部停止部に対して押圧されるべく配置されることから、前記開き用捕捉体は自由に回動可能であることを特徴とする、請求項１乃至１７のいずれか一項に記載のデバイス。
【請求項１９】
閉じ操作の直前において、前記閉じ用捕捉体は、固定位置ボルトの回りに係合すると共に、該閉じ用捕捉体は、噛合係合および／または摩擦係合により前記開き用捕捉体内に係合する如き様式で上記開き用捕捉体を回動させることを特徴とする、請求項１乃至１８のいずれか一項に記載のデバイス。
【請求項２０】
前記ボルトは所定位置に繋止可能であることを特徴とする、請求項１乃至１９のいずれか一項に記載のデバイス。
【請求項２１】
各上側ロールには押圧デバイスが割当てられることを特徴とする、請求項１乃至２０のいずれか一項に記載のデバイス。
【請求項２２】
各押圧デバイスは、一本の加圧アームおよび２つの加圧要素を有することを特徴とする、請求項１乃至２１のいずれか一項に記載のデバイス。
【請求項２３】
前記加圧アームは門形フレーム状の構成であることを特徴とする、請求項１乃至２２のいずれか一項に記載のデバイス。
【請求項２４】
各加圧アームは、前記加圧要素と一体的に、枢動もしくは旋回軸受の回りに枢動可能または旋回可能であることを特徴とする、請求項１乃至２３のいずれか一項に記載のデバイス。
【請求項２５】
前記枢動および旋回軸受は、一方の門形フレーム・アームの下端部に対して割当てられることを特徴とする、請求項１乃至２４のいずれか一項に記載のデバイス。
【請求項２６】
前記繋止解除／繋止デバイスは、他方の門形フレーム・アームの下端部に対して割当てられることを特徴とする、請求項１乃至２５のいずれか一項に記載のデバイス。
【請求項２７】
前記繋止解除／繋止デバイスは、繊維材料の流れ方向(動作方向)に配向されることを特徴とする、請求項１乃至２６のいずれか一項に記載のデバイス。
【請求項２８】
前記繋止解除／繋止デバイスは、相次いで配置された前記各加圧アームと並列に配置されることを特徴とする、請求項１乃至２７のいずれか一項に記載のデバイス。
【請求項２９】
前記繋止解除／繋止デバイスは、相次いで配置された前記各加圧アームに沿い且つその外側に配置されることを特徴とする、請求項１乃至２８のいずれか一項に記載のデバイス。
【請求項３０】
同一の握り柄により操作可能である少なくとも２台の繋止解除／繋止デバイスが配備されることを特徴とする、請求項１乃至２９のいずれか一項に記載のデバイス。
【発明の詳細な説明】
【技術分野】
【０００１】
本発明は、牽伸機構と、各下側ロールが取付けられた牽伸機構下側部分と、各上側ロールが取付けられた牽伸機構下側部分とを有する、特に練篠フレーム、カード機、コーミング機などの紡績前処理機であって、上記上側部分は(非加重の)開き位置から(加重された)閉じ位置まで且つその逆に移動可能であると共に、上記各上側ロールの押圧デバイスに対して繋止解除／繋止デバイスが配備されるという紡績前処理機上のデバイスに関する。
【背景技術】
【０００２】
公知のデバイス(特許文献１)において、動作の間に牽伸機構は加重され、すなわち、上側および下側ロールと、それらの間に配置されたスライバとは、圧力下で相互に接触する。その目的のために、各上側ロール上には圧力手段が取付けられる一方、該圧力手段は加圧アームに対して取付けられ、該加圧アームは繋止デバイスにより牽伸機構に向かう方向に引張られることから、各上側ロールはそれらの関連下側ロール上へと押圧される。上記繋止デバイスは２つの加重フックを有し、各加圧アームに対してひとつの加重フックが割当てられる。上記加重フックは加圧アーム毎のひとつのボルトに係合する結果、上記加重フックに対して及ぼされた張力は、関連する加圧アームに対して伝達される。上記加圧アームが上記繋止デバイスにより解放されたとき、上記加重フックは上記加圧アームに対してもはや張力を及ぼさないことから、該加重フックは上記ボルトから離間枢動するので、上記加圧アームはそのときに離間枢動され得る。上記加圧アームはもはや、牽伸機構ロールに対して何らの力も及ぼさない。そのときに依然として、上記各ロールの加重は、それら自体の重量により行われる。上記加圧アームが上記上側ロールにより上記下側ロールに圧力を及ぼすことを許容する上記繋止デバイスは、制御要素により影響される繋止要素であって、上記加重フックの開き位置から上記加重フックの閉じ位置までの該加重フックの移動を行うという繋止要素から成り、上記ボルトは上記牽伸機構の閉じ状態において常に同一の箇所に位置される。このことは、可能的な調節により上記圧力手段は牽伸機構の各円筒体に対して所定の力を及ぼす、という効果を有する。上記制御要素により付与される力の大きさは、各上側ロールが夫々の下側ロールに対して押圧される力に関して何らの影響も有さない。上記加重フックの位置、故に上記加圧アームの位置は、上記閉じ位置において常に同一である。上記制御要素は、制御バルブに対して接続された空気圧シリンダから成る。一方、上記制御バルブは、コントローラにより制御される。斯かるデバイスにおいては、スプリング操作されると同時に空気圧的に操作される各加重フックを係合させるために、繊維材料の流れ方向(スライバの進行方向)に関して横方向にロッドが配置される。上記公知デバイスは、装備に関して高コストである。また、各々がそれら自体の枢動点を有するという一方における各加重フックおよび他方における各加圧アームは、逆方向に回動される。その配置の不都合は、第1の動作段階においては繊維の進行方向で見て上記加重フックが反時計方向に回動されて上記牽伸機構が先ず別体的な繋止デバイスを用いて繋止解除され、繋止解除の後で第2の動作段階において、各加圧アームは手作業で、個別的に且つ別体的に時計方向に離間枢動される、ということである。
【先行技術文献】
【特許文献】
【０００３】
【特許文献１】ドイツ特許公開公報DE195 48 840 A号
【発明の概要】
【発明が解決しようとする課題】
【０００４】
故に、本発明の基礎となる課題は、冒頭にて記述された種類のデバイスであって、言及された不都合を回避すると共に、特に、構造的に簡素な様式で、繋止解除／開き、および、閉じ／繋止の操作が片手のみを用いて実施されることを可能にするというデバイスを提供するに在る。
【課題を解決するための手段】
【０００５】
上記課題は、請求項１の特徴部分の特徴により解決される。
１番目の発明によれば、牽伸機構と、各下側ロールが取付けられた牽伸機構下側部分と、各上側ロールが取付けられた牽伸機構下側部分とを有する、特に練篠フレーム、カード機、コーミング機などの紡績前処理機であって、上記上側部分は(非加重の)開き位置から(加重された)閉じ位置まで且つその逆に移動可能であると共に、上記各上側ロールの押圧デバイスに対して繋止解除／繋止デバイスが配備されるという紡績前処理機上のデバイスにおいて、上記繋止解除／繋止デバイス(15；15'、15"；20、21、22)は、当該片手式操作デバイスによれば、上記牽伸機構(S)の押圧デバイス(11a〜11d；91〜94)の繋止解除および開きが一回の動作段階において行われ、且つ、上記牽伸機構(S)の上記押圧デバイス(11a〜11d；91〜94)の閉じおよび繋止が一回の動作段階において行われるという片手式操作デバイスを提供することを特徴とする、デバイスが提供される。
【０００６】
この構成の簡素さは特に、単にアクチュエータを揚動することにより繋止解除および開きが片手で行われ得る、という利点に帰着する。開き用捕捉体および閉じ用捕捉体の組合わせ的な協働によれば、各々の場合において一回のみの動作段階において、同時的な繋止解除／開き、および、閉じ／繋止が許容される。
【０００７】
請求項２乃至３０は、本発明の好適な発展例を包含する。
２番目の発明によれば、１番目の発明において、前記片手式操作デバイスに依れば、繋止解除および開きが一回の動作段階において連続して行われること、および、閉じおよび繋止が一回の動作段階において連続して行われることが許容される。
３番目の発明によれば、１番目または２番目の発明において、前記牽伸機構は、片手を使用し、繋止解除されると同時に開かれ、且つ、閉じられると同時に繋止される。
４番目の発明によれば、１番目から３番目のいずれかの発明において、前記片手式操作デバイスは、枢動軸心の回りで回動可能な握り柄を有する。
５番目の発明によれば、１番目から４番目のいずれかの発明において、前記繋止解除／繋止デバイス(15)は前記開き／閉じデバイス(29)と組合わせ的に協働する。
６番目の発明によれば、１番目から５番目のいずれかの発明において、前記握り柄は、閉じ位置においては閉じ手段により固定可能であり、且つ、制御アームを操作する。
７番目の発明によれば、１番目から６番目のいずれかの発明において、前記制御アームの回動の経路内へと繋止レバーの駆動器アームが突出する。
８番目の発明によれば、１番目から７番目のいずれかの発明において、前記繋止レバーは、その開始位置に在るとき、回動ラッチの閉じ位置を支持する。
９番目の発明によれば、１番目から８番目のいずれかの発明において、前記繋止解除／繋止デバイスは、開き用捕捉体と、閉じ用捕捉体と、固定位置に在るボルトとを備えて成る。
１０番目の発明によれば、１番目から９番目のいずれかの発明において、前記繋止解除／繋止デバイスは、前記開き用捕捉体に対して力を及ぼし得る例えば取手などの握り柄を有する。
１１番目の発明によれば、１番目から１０番目のいずれかの発明において、前記開き用捕捉体は枢動軸受の回りで枢動可能である。
１２番目の発明によれば、１番目から１１番目のいずれかの発明において、前記閉じ用捕捉体は枢動軸受の回りで枢動可能である。
１３番目の発明によれば、１番目から１２番目のいずれかの発明において、前記開き用捕捉体と閉じ用捕捉体との間には張設スプリングが作用する。
１４番目の発明によれば、１番目から１３番目のいずれかの発明において、前記張設スプリングの一端は前記開き用捕捉体に係合し、且つ、他端は前記閉じ用捕捉体に係合する。
１５番目の発明によれば、１番目から１４番目のいずれかの発明において、前記開き用捕捉体は、前記閉じ用捕捉体における凹所に対して係合および離脱すべく移動される様に配置された突出部(突起部)に作用する。
１６番目の発明によれば、１番目から１５番目のいずれかの発明において、開くために、前記枢動的に取付けられた握り柄(アクチュエータ)は、枢動的に取付けられた開き用捕捉体を、閉じ用捕捉体との噛合係合および／または摩擦係合から離脱させる様にも移動させる。
１７番目の発明によれば、１番目から１６番目のいずれかの発明において、開くために、前記開き用捕捉体と前記閉じ用捕捉体との間のスプリング力は、前記牽伸機構の押圧の間において上記閉じ用捕捉体の同時的な枢動開きを行う。
１８番目の発明によれば、１番目から１７番目のいずれかの発明において、前記牽伸機構を閉じるために、前記握り柄(アクチュエータ)は端部停止部に対して押圧されるべく配置されることから、前記開き用捕捉体は自由に回動可能である。
１９番目の発明によれば、１番目から１８番目のいずれかの発明において、閉じ操作の直前において、前記閉じ用捕捉体は、固定位置ボルトの回りに係合すると共に、該閉じ用捕捉体は、噛合係合および／または摩擦係合により前記開き用捕捉体内に係合する如き様式で上記開き用捕捉体を回動させる。
２０番目の発明によれば、１番目から１９番目のいずれかの発明において、前記ボルトは所定位置に繋止可能である。
２１番目の発明によれば、１番目から２０番目のいずれかの発明において、各上側ロールには押圧デバイスが割当てられる。
２２番目の発明によれば、１番目から２１番目のいずれかの発明において、各押圧デバイスは、一本の加圧アームおよび２つの加圧要素を有する。
２３番目の発明によれば、１番目から２２番目のいずれかの発明において、前記加圧アームは門形フレーム状の構成である。
２４番目の発明によれば、１番目から２３番目のいずれかの発明において、各加圧アームは、前記加圧要素と一体的に、枢動もしくは旋回軸受の回りに枢動可能または旋回可能である。
２５番目の発明によれば、１番目から２４番目のいずれかの発明において、前記枢動および旋回軸受は、一方の門形フレーム・アームの下端部に対して割当てられる。
２６番目の発明によれば、１番目から２５番目のいずれかの発明において、前記繋止解除／繋止デバイスは、他方の門形フレーム・アームの下端部に対して割当てられる。
２７番目の発明によれば、１番目から２６番目のいずれかの発明において、前記繋止解除／繋止デバイスは、繊維材料の流れ方向(動作方向)に配向される。
２８番目の発明によれば、１番目から２７番目のいずれかの発明において、前記繋止解除／繋止デバイスは、相次いで配置された前記各加圧アームと並列に配置される。
２９番目の発明によれば、１番目から２８番目のいずれかの発明において、前記繋止解除／繋止デバイスは、相次いで配置された前記各加圧アームに沿い且つその外側に配置される。
３０番目の発明によれば、１番目から２９番目のいずれかの発明において、同一の握り柄により操作可能である少なくとも２台の繋止解除／繋止デバイスが配備される。
【０００８】
本発明は、図面中に示された好適実施例に関して以下に相当に詳細に説明される。
【図面の簡単な説明】
【０００９】
【図１】本発明に係るデバイスに対する練篠フレームの牽伸機構の概略的側面図である。
【図２】図１における断面I-Iに従い加圧アームを繋止解除／開き(枢動開き)位置で示す図である。
【図３ａ】繋止／閉じ位置における繋止解除／繋止デバイスを示す図である。
【図３ｂ】繋止解除／開き位置における繋止解除／繋止デバイスを示す図である。
【図３ｃ】繋止／閉じ位置における繋止解除／繋止デバイスを示す図である。
【図３ｄ】繋止解除／開き位置における繋止解除／繋止デバイスを示す図である。
【図４】開き／閉じデバイスと組み合わされた繋止解除／繋止デバイスを示す図である。
【発明を実施するための形態】
【００１０】
図１は、たとえばTruetzschler練篠フレームTD 08などの牽伸機構Sを示している。牽伸機構Sはフォー・オーバー・スリー牽伸機構として構成され、すなわち該機構は、３個の下側ロールI、II、III(Iは出力下側ロール、IIは中央下側ロール、IIIは入力下側ロール)と、４個の上側ロール1、2、3、4とから成る。牽伸機構Sにおいては、複数本のスライバから成る繊維束5の牽伸が実施される。牽伸操作は、予備牽伸操作および主要牽伸操作から構成される。ロール対4/IIIおよび3/IIは予備牽伸区域を形成し、ロール対3/IIおよび1、2/Iは主要牽伸区域を形成する。出力下側ロールIは(不図示の)主要モータにより駆動されることから、吐出速度を決定する。入力および中央下側ロールIIIおよびIIは、(不図示の)調整モータにより駆動される。上側ロール1乃至4は、枢動軸受(図２参照)の回りで枢動可能な加圧アーム11a乃至11dであって、その故に摩擦係合により駆動されるという加圧アーム11a乃至11dにおける加圧要素91乃至94(加重デバイス)により下側ロールI、II、IIIに対して加圧される。ロールI、II、III；1、2、3、4の回転方向は、湾曲矢印により表される。複数本のスライバから成る繊維束5は、方向Aに進行する。下側ロールI、II、IIIは、機械フレーム17上に配置されたローラ軸受16a、16b(図２参照)に取付けられる。
【００１１】
図２に依ると、上側ロール4は、門形フレーム状の加圧アーム11aであって、２つの側部空気圧シリンダ9a1および9a2(加圧要素)と、共通支持要素12aと、２つの保持要素13a1および13a2と、２つの中間要素14a1および14a2とから成るという加圧アーム11aと組み合わされる。加圧アーム11aは、ローラ軸受16a上に取付けられた枢動軸受10の回りで上側ロール4と共に枢動して開かれる。側面視にて見られるカバー要素13a1および13a2は角度付き(直角とされた)構成であり、カバー要素13a1の一方の角度付きアームは、その自由端部の領域において枢動軸受10上に枢動的に取付けられる。カバー要素13a2の他方の角度付きアームは、その自由端部の領域において繋止デバイス15の一部を有し、該繋止デバイスの閉じ用捕捉体21は、機械フレーム17上で固定位置に取付けられたボルト22に対して係合および離脱すべく移動される様に配置される(図３ａ乃至図３ｄを参照)。加圧アーム11aは繋止解除／開き位置で示される。
【００１２】
図３ａ乃至図３ｄに依ると、繋止機構15は、開き用捕捉体20と、閉じ用捕捉体21と、固定位置におけるボルト22とから成る。開き用捕捉体20および閉じ用捕捉体21は各々が本質的に、枢動継手23、24の回りで夫々回動可能な両頭レバーの形態である。同様に配備されるのは、開き用捕捉体20の一方のレバー・アーム201に対して矢印Bの方向に力Pを付与する取手33である(図４を参照)。開き用捕捉体20は枢動軸受23の回りで枢動すべく取付けられ、閉じ用捕捉体21は枢動軸受24の回りで枢動すべく取付けられる。開き用捕捉体20と閉じ用捕捉体21との間には、張設スプリング25(図３ｃ、図３ｄを参照)が作用する。張設スプリング25の一端は、開き用捕捉体20のレバー・アーム202上の突出部26に係合し、且つ、他端は、閉じ用捕捉体21のレバー・アーム212上の突出部27に係合する。参照番号28は停止部を表す。
【００１３】
図３ａ、図３ｃにおいて、繋止手段は閉じ状態で示される。該繋止手段は、開き用捕捉体20に対して図３ａに示された方向Bに力Pを付与することにより、解除される。このことは、取手33を前方に傾斜することにより行われる。結果として、図３ｃに依れば、開き用捕捉体20は枢動継手23の回りで矢印Cに従う反時計方向に回動される。開き用ラッチ20のレバー・アーム202の端部領域上の突起部は、閉じ用捕捉体21の端部領域212における凹所21'を抜け出し、且つ、牽伸機構S(または加圧アーム91乃至94)の開き時に張設スプリング25は、矢印Dに従う反時計方向に閉じ用捕捉体21を回動させ、ボルト22を解放する(図３ｂ、図３ｄ)。同時に、閉じ用捕捉体21における更なる凹所21"は、ボルト22から離間移動する。牽伸機構Sを繋止解除した後で開くと同時に、開き用捕捉体20および閉じ用捕捉体21は夫々、矢印EおよびFの方向にて上方に変位される(図３ｄ)。凹所21'の形状は、一定の圧点効果を有する。
【００１４】
閉じおよび繋止のためには、図３ａ乃至図３ｄに関して記述された動作段階が逆順で行われる。図３ｂ、図３ｄに示された繋止解除／開き位置から始まり、繋止解除／繋止デバイス15は図３ａ、図３ｃにおける繋止／閉じ位置へと移動され、開き用捕捉体20および閉じ用捕捉体21は、図３ｄに示された矢印EおよびFの逆の方向において下方に変位される。
【００１５】
図４に依れば、繋止解除／繋止デバイス15と組合わせ的に協働する開き／閉じデバイス29が配備される。門形フレーム・アーム14a2上の外部には枢動軸受30が取付けられ、該軸受上には、両頭レバーと同様の案内バー・デバイスの２本のレバー・アーム31、32の各々の一端が枢動的に取付けられ、各レバー・アームは相互に対して堅固に接続されている。レバー・アーム31および32の夫々の他端上には、取手33およびボルト34が夫々取付けられる。取手33が矢印Iの方向に上方に押圧されたとき、ボルト34は矢印Lの方向に移動されて開き用捕捉体20に対して圧力を及ぼすことから(図３ｄ参照)、繋止解除が行われる。同時に、方向Iにおける取手33の移動の結果として、軸受30を経由して、加圧アーム11a全体が枢動軸受10の回りで矢印Hの方向に回動されることから、押圧デバイスもしくは牽伸機構Sは開かれる(図２参照)。
【００１６】
枢動継手23および24は(不図示の様式で)門形フレーム・アーム14a2上に取付けられる。その接続の結果として、開き操作の間において、矢印Iの方向における取手33の移動によれば、方向Hにおける開き位置への加圧アーム14aの枢動と、方向EおよびFにおける繋止解除／繋止デバイス15の変位とが一体的に引き起こされる(機械的に結合されている)。対応する様式で、閉じ操作の間において、矢印Kの方向における取手33の移動によれば、方向Gにおける閉じ位置への加圧アーム14aの枢動と、矢印EおよびFの方向とは逆の方向における繋止解除／繋止デバイス15の変位とが一体的に引き起こされる(機械的に結合されている)。
【００１７】
本発明に係る上記デバイスの更なる構成および利点は、
所定位置に繋止され得るボルトにより、牽伸機構上側部分の高さを下側部分に対して調節することが可能であること、
上記機構は上昇もされ得るが、構造的に、それは等しく底部に留まることが可能であること、
フックによる解決策が使用されるならば上記開き用捕捉体は省略可能であり；その場合、上記アクチュエータは、枢動的に取付けられたフックであって、行程超過(噛合および摩擦接続、または、摩擦接続)を以て／なしでスプリング負荷された解決策であるというフックを繋止解除するのみであるということ、
緊急の繋止解除が可能であり；上記アクチュエータが不調でも、ネジ回しなどを用いることで上記開き用捕捉体は上記閉じ用捕捉体から外れる様に回動され得ること、
近接スィッチにより上記閉じ用捕捉体を監視することで安全性が確保されること、
である。
【符号の説明】
【００１８】
1、2、3、4    上側ロール
5    繊維束
91〜94    加圧要素
9a1、9a2    側部空気圧シリンダ
10    枢動軸受
11a〜11d    加圧アーム
12a    共通支持要素
13a1、13a2    保持要素／カバー要素
14a    加圧アーム
14a1    中間要素
14a2    門形フレーム・アーム
15    繋止解除／繋止デバイス
16a、16b    ローラ軸受
17    機械フレーム
20    開き用捕捉体
201、202    レバー・アーム
21    閉じ用捕捉体
21'、21"    凹所
212    レバー・アーム
22    ボルト
23、24    枢動軸受
25    張設スプリング
26、27    突出部
28    停止部
29    開き／閉じデバイス
30    枢動軸受
31、32    レバー・アーム
33    取手
34    ボルト
【図１】
2013044083.tif 000003
【図２】
2013044083.tif 000004
【図３ａ】
2013044083.tif 000005
【図３ｂ】
2013044083.tif 000006
【図３ｃ】
2013044083.tif 000007
【図３ｄ】
2013044083.tif 000008
【図４】
2013044083.tif 000009